(57)【要約】【課題】顔面に、優れた回復効果を与え、しかもその効果が長く持続する優れた美容施術方法およびそれに用いる美容施術ツールを提供する。【解決手段】顔の筋肉に対する特定の美容施術を行うもので、顔の筋肉説明部と、顔の筋肉に対する施術手順説明部とを備え、上記顔の筋肉説明部には、女性の顔のイラスト７と、その顔面に筋状に示す筋肉８が表示され、各筋肉８には、その名称と働きが記載されており、上記顔の筋肉８に対する施術手順説明部には、施術の手順が段階的に表示され、各施術ごとに、その施術時の手先の動きを矢印で示したイラストと、施術動作の説明文と、施術によって得られる効果とが表示された美容施術ツール１を用いる。【選択図】図１
2005314329.tif 000002
【特許請求の範囲】
【請求項１】
被施術者の顔面に対し美容施術を行う方法であって、顔に、メラニン代謝促進作用を備えたマッサージクリームを塗布したのち、顔の筋肉に対し、その筋肉の筋が延びる方向に手先を動かしながら刺激を与える美容施術を行うようにしたことを特徴とする美容施術方法。
【請求項２】
上記マッサージクリームが、メラノＥＧおよびイーストエキスを含有するものである請求項１記載の美容施術方法。
【請求項３】
上記マッサージクリームが、水溶性ビタミンＣ、小麦胚芽エキス、ミネラル酵母エキス、亜麻仁エキス、Ｎ−メチル−Ｌ−セリンおよびボタニカルエッセンスの少なくとも一つを含有するものである請求項２記載の美容施術方法。
【請求項４】
上記顔の筋肉が、前頭筋、眼輪筋、鼻根筋、上唇鼻翼挙筋、上唇挙筋、小頬骨筋、大頬骨筋、頬筋、皺眉筋、咬筋、口輪筋および口角下制筋の少なくとも一つである請求項１〜３のいずれか一項に記載の美容施術方法。
【請求項５】
請求項１〜４のいずれか一項に記載の美容施術方法に用いられる美容施術ツールであって、顔の筋肉説明部と、顔の筋肉に対する施術手順説明部とを備え、上記顔の筋肉説明部には、顔の筋肉を顔面に筋状に示したイラストと、各筋肉の名称と働きが記載されており、上記顔の筋肉に対する施術手順説明部には、施術の手順が段階的に表示され、各施術ごとに、その施術時の手先の動きを矢印で示したイラストと、施術動作の説明文と、施術によって得られる効果とが表示されていることを特徴とする美容施術ツール。
【発明の詳細な説明】
【技術分野】
【０００１】
本発明は、化粧品販売店の店員やエステティック施術者等が顧客に行う美容施術方法およびそれに用いる美容施術ツールに関するものである。
【背景技術】
【０００２】
従来から、エステティックサロンや化粧品販売店のエステティックコーナー等で行われている、顔面に対するエステティックマッサージは、施術者が、指先で被施術者の皮膚表面を擦ったり軽く叩いたりして皮膚に刺激を与え、その刺激によって皮膚の血行と新陳代謝を刺激する方法が一般的である。
【０００３】
しかしながら、このような従来の方法では、施術後しばらくは効果を奏しても、時間がたつと、施術によって与えられていた皮膚のハリやツヤが次第に減退して元に戻ってしまい、長期にわたって皮膚の状態を良好に保つことができないことが問題であった。
【０００４】
そこで、本出願人は、より長期にわたって皮膚の状態を良好に保つことのできる美容施術方法として、被施術者の顔面の筋肉に圧迫施術を行うことにより、顔面のこりをほぐす方法を開発し、すでに出願している（特許文献１）。
【特許文献１】特開２００３−３３９４３９号公報
【発明の開示】
【発明が解決しようとする課題】
【０００５】
しかしながら、上記顔面のこりをほぐす方法により、効果の持続時間は従来に比べて長くなるものの、ある程度時間が経過すると、効果が消えていくことに変わりはないため、顔面に、もっと本質的な回復効果を与え、それを持続させることができるような美容施術方法が強く望まれている。
【０００６】
本発明は、このような事情に鑑みなされたもので、顔面に、優れた回復効果を与え、しかもその効果が長く持続する優れた美容施術方法およびそれに用いる美容施術ツールの提供をその目的とする。
【課題を解決するための手段】
【０００７】
上記の目的を達成するため、本発明は、被施術者の顔面に対し美容施術を行う方法であって、顔に、メラニン代謝促進作用を備えたマッサージクリームを塗布したのち、顔の筋肉に対し、その筋肉の筋が延びる方向に手先を動かしながら刺激を与える美容施術を行うようにした美容施術方法を第１の要旨とする。
【０００８】
また、本発明は、そのなかでも、特に、上記マッサージクリームが、メラノＥＧおよびイーストエキスを含有するものである美容施術方法を第２の要旨とし、さらに、そのなかでも、特に、上記マッサージクリームが、水溶性ビタミンＣ、小麦胚芽エキス、ミネラル酵母エキス、亜麻仁エキス、Ｎ−メチル−Ｌ−セリンおよびボタニカルエッセンスの少なくとも一つを含有するものである美容施術方法を第３の要旨とする。
【０００９】
そして、本発明は、それらのなかでも、特に、上記顔の筋肉が、前頭筋、眼輪筋、鼻根筋、上唇鼻翼挙筋、上唇挙筋、小頬骨筋、大頬骨筋、頬筋、皺眉筋、咬筋、口輪筋および口角下制筋の少なくとも一つである美容施術方法を第４の要旨とする。
【００１０】
さらに、本発明は、上記第１〜第４のいずれかの要旨である美容施術方法に用いられる美容施術ツールであって、顔の筋肉説明部と、顔の筋肉に対する施術手順説明部とを備え、上記顔の筋肉説明部には、顔の筋肉を顔面に筋状に示したイラストと、各筋肉の名称と働きが記載されており、上記顔の筋肉に対する施術手順説明部には、施術の手順が段階的に表示され、各施術ごとに、その施術時の手先の動きを矢印で示したイラストと、施術動作の説明文と、施術によって得られる効果とが表示されている美容施術ツールを第５の要旨とする。
【００１１】
なお、本発明において、「手先」とは、手のひら，指先等、手首から先の部分を指す総称として用いており、施術の際、手先のどの部分を用いるかは、顔面の部位に応じて、施術者の判断により、適宜に選択される。
【発明の効果】
【００１２】
本発明の美容施術方法によれば、顔の筋肉に対し、その筋肉の筋が延びる方向に刺激を与える施術を行うため、加齢とともに萎縮しつつある筋肉が、本来の動きを回復し、その部分にハリが生じて引き締まった表情をつくることができる。しかも、施術の際に、メラニン代謝促進作用を備えたマッサージクリームを用いるため、筋肉への物理的な刺激と、皮膚内側からのメラニン代謝作用との相乗効果により、筋肉の回復効果を、長く持続させることができる。
【００１３】
そして、上記美容施術方法において、上記マッサージクリームとして、メラノＥＧおよびイーストエキスを含有するものを用いた場合、特に優れた効果を奏することができる。そして、そのなかでも、特に、上記マッサージクリームとして、上記メラノＥＧ、イーストエキスとともに、水溶性ビタミンＣ、小麦胚芽エキス、ミネラル酵母エキス、亜麻仁エキス、Ｎ−メチル−Ｌ−セリンおよびボタニカルエッセンスの少なくとも一つを含有するものを用いた場合、さらに優れた効果を奏することができる。
【００１４】
そして、上記美容施術方法において、施術の対象とする顔の筋肉は、前頭筋、眼輪筋、鼻根筋、上唇鼻翼挙筋、上唇挙筋、小頬骨筋、大頬骨筋、頬筋、皺眉筋、咬筋、口輪筋および口角下制筋の少なくとも一つに設定することが、優れた効果を得る上で、好ましい。
【００１５】
そして、本発明の美容施術ツールによれば、筋肉に対する施術手順説明部だけでなく、顔の筋肉説明部として、筋肉を筋状に示すイラストと、各筋肉の名称と働きとが表示されているため、各施術が対象とする筋肉とその施術の効果が把握しやすくなっている。そして、熟練者でなくても、この美容施術ツールをみるだけで、短時間で効果的な美容施術を行うことができるため、エステティック施術者教育の負担を軽減することができるという利点を有する。
【発明を実施するための最良の形態】
【００１６】
つぎに、本発明を実施するための最良の形態について説明する。
【００１７】
本発明の美容施術方法は、エステティック施術者等が顧客に対して行うもので、例えば、表面１ａが図１に示すような構成で、裏面１ｂが図２に示すような構成の、美容施術用のシート１の内容に沿って行われる。以下、このシート１の内容について説明する。
【００１８】
このシート１は、剛性の厚紙シートからなり、図１に示すように、表面１ａの左上には、「トワニー顔輪筋マッサージとは…」という見出し２が表示されており、その下の枠囲い３の内側に、この美容施術方法の考え方が説明されている。なお、上記見出し２の「トワニー」とは、この美容施術方法を提供する化粧品メーカーが、この美容施術方法に付したブランド名である。
【００１９】
上記枠囲い３の内側の上部には、「お顔の筋肉を刺激してハリのあるいきいきとした若々しい表情をつくるマッサージテクニックです。」というこの美容施術方法のキャッチフレーズ４が表示されており、その下に、「約３０種類もあるお顔の筋肉は、身体同様に使わないと衰えがちに。また加齢とともに筋肉萎縮が起きて動きが鈍くなり、たるみや表情疲れの原因に。そこで顔輪筋マッサージで筋肉を適度に刺激。マッサージ後は、目元やほほにハリが出てフェースラインもスッキリ。鼻しん溝などの深い溝もめだちにくくなります。」という説明文５が表示されている。
【００２０】
そして、その下には、図３に示すように、「表情をつくる主な筋肉と働き」という見出し６とともに、女性の顔のイラスト７が表示されており、このイラスト７の顔面に、代表的な顔の筋肉８が、筋状に記入されている。そして、筋肉８は、その部位ごとに、「（１）前頭筋（額の横シワをつくる）」、「（２）眼輪筋（目を閉じる）」、というように、名前とその働きが、番号を付して順番に表示されている。
【００２１】
また、その下には、図４に示すように、マッサージ前後の女性の正面から見た顔（目から下の部分）の写真９、１０が、左右に並べて表示されている。写真９、１０には、それぞれ、顔の前後方向を「高さ方向」とする等高線１１が引かれており、顔の凹凸が一目で把握できるようになっている。したがって、左右の写真９、１０を対比すれば、マッサージによって、顔の凸部が上に上がり、たるみが減少していることがわかるようになっている。
【００２２】
また、表面１ａ（図１に戻る）の右上には、「素肌血行回復マッサージ」という見出し１２が表示されており、その下の枠囲い１３内に、素肌の血行をよくするためのマッサージについての説明文１４と、このマッサージにおける手先の動きを記入した女性の顔面のイラスト１５が表示されている（図５参照）。
【００２３】
そして、上記枠囲い１３（図１に戻る）の下には、「トワニーのマッサージクリーム」という見出し１６が表示されており、その下の枠囲い１７内に、３種類のマッサージクリームの実物写真１８が表示されている。実物写真１８のそれぞれの下には、その商品の特徴と、商品名と、重量、値段等の商品情報１９が記載されている。
【００２４】
ちなみに、左端のマッサージクリームは、「メラニン代謝を促進し、明るく透明感のあるお肌へ  拭き取り不要のマッサージクリーム」と説明されており、その商品名は、「ホワイトマッサージクリーム」である。この商品写真１８ａの上に、「顔輪筋マッサージに最適」の文字が、楕円枠２０で囲われた状態で表示されており、このマッサージクリームが、このシート１の裏面１ｂで説明される顔輪筋マッサージに用いられるものであることがわかる。
【００２５】
また、真ん中のマッサージクリームは、「心地よいマッサージ効果で、いきいきとしたお肌へ」と説明されており、その商品名は、「バランシングマッサージ」である。このものは、枠囲い１７内で説明された「素肌血行回復マッサージ」において用いられるものである。
【００２６】
そして、右端のマッサージクリームは、「マッサージとパックのお手入れ効果が同時に期待できる薬用マスク」と説明されており、その商品名は、「ＥＸマスク」である。
【００２７】
一方、このシート１の裏面１ｂは、図２に示すような構成になっている。すなわち、まず、その上端部には、「筋肉に働きかけ、いきいきとした若々しい表情へ導くトワニーのマッサージ。」という見出し３０が表示されている。そして、その下の左側には、５つの矢印付き丸枠３１〜３５と、１つの丸枠３６が左右に並んでおり、各枠内に、この美容施術方法の進め方が、順を追って簡単に記入されている。
【００２８】
例えば、左端の矢印付き丸枠３１内には「お客様のお顔をチェック！  ○フェースライン・○目尻・鼻しん溝など」と記入され、その右の矢印付き丸枠３２内には「トワニー顔輪筋マッサージ」と記入され、その右の矢印付き丸枠３３内には「半顔」と記入されている。また、その右の矢印付き丸枠３４内には「お客様に左右のお顔を手鏡などで比べていただきましょう。」と記入され、その右の矢印付き丸枠３５内には、「全顔」と記入され、その右の丸枠３６内には「お客様自身で全顔」と記入されている。したがって、施術者は、上記矢印付き丸枠３１〜３５と丸枠３６内の指示を意識しながら施術を行うことにより、段取りよく施術を進めることができる。
【００２９】
なお、その右側には、「トワニー顔輪筋マッサージテクニック  トワニスト用」という文３７が表示されており、以下の美容施術方法の説明が、トワニー顔輪筋マッサージの専門家であるトワニスト用のものであることがわかる。
【００３０】
そして、その下の左側には、赤く着色された円４０が表示されており、その内側に、「１回の目安  約３分」の文字４１が、「３ｍｉｎｕｔｅ」の文字と重ねて表示されている。
【００３１】
そして、その右側から、上下３段にわたって、１〜１７の施術の手順が、女性の顔を示すイラスト４５とともに表示されている。各手順を、順を追って説明する。
【００３２】
まず、第１の手順は、図６（ａ）に示すように、眼輪筋の延びる方向に沿って刺激を与える施術で、その手先の動作が、イラスト４５内に、矢印４６で示されている。このイラスト４５の上には、「目尻・目の下のシワ  浅く」というこの施術の効果を示す文４７が表示されている。また、イラスト４５の下には、「マッサージクリームを顔全体にのばした後、指２本（中指・薬指）で目のまわりを数回マッサージ。」というこの施術の動作を説明する文４８が表示されている。
【００３３】
また、第２の手順は、図６（ｂ）に示すように、前頭筋の延びる方向に沿って刺激を与える施術で、その手先の動作が、イラスト４５内に、太矢印４９で示されている。このイラスト４５の上には、「額のシワ  浅く」というこの施術の効果を示す文５０が表示されている。また、イラスト４５の下には、「指３本（人差し指〜薬指）の指先で額を引き上げるように。」というこの施術の動作を説明する文５１が表示されている。
【００３４】
そして、第３の手順は、図７（ａ）に示すように、上唇挙筋、小頬骨筋、大頬骨筋の延びる方向に沿って刺激を与える施術で、その手先の動作が、イラスト４５内に、太矢印５２で示されている。このイラスト４５の上には、「フェイスライン  スッキリ」というこの施術の効果を示す文５３が表示されている。また、イラスト４５の下には、「頬全体を手のひらで引き上げるように。」というこの施術の動作を説明する文５４が表示されている。
【００３５】
また、第４の手順は、図７（ｂ）に示すように、口角下制筋、大頬骨筋の延びる方向に沿って刺激を与える施術で、その手先の動作が、イラスト４５内に、矢印５５で示されている。このイラスト４５の上には、「鼻しん溝  浅く・ほほスッキリ」というこの施術の効果を示す文５６が表示されている。また、イラスト４５の下には、「指２本で鼻しん溝〜こめかみまで引き上げるように。」というこの施術の動作を説明する文５７が表示されている。
【００３６】
そして、第５の手順は、図８（ａ）に示すように、口角下制筋、小頬骨筋、大頬骨筋の延びる方向に沿って刺激を与える施術で、その手先の動作が、イラスト４５内に、矢印５８で示されている。このイラスト４５の上には、「鼻しん溝は浅く  目尻アップ」というこの施術の効果を示す文５９が表示されている。また、イラスト４５の下には、「指２本で鼻しん溝〜目尻まで引き上げるように。」というこの施術の動作を説明する文６０が表示されている。
【００３７】
また、第６の手順は、図８（ｂ）に示すように、口角下制筋、上唇挙筋の延びる方向に沿って刺激を与える施術で、その手先の動作が、イラスト４５内に、矢印６１で示されている。このイラスト４５の上には、「鼻しん溝  浅く・口角アップ」というこの施術の効果を示す文６２が表示されている。また、イラスト４５の下には、「指２本で鼻しん溝〜黒目の下まで引き上げるように。」というこの施術の動作を説明する文６３が表示されている。
【００３８】
そして、第７の手順は、図９（ａ）に示すように、口角下制筋、上唇鼻翼挙筋の延びる方向に沿って刺激を与える施術で、その手先の動作が、イラスト４５内に、矢印６４で示されている。このイラスト４５の上には、「鼻しん溝・眉間のシワ  浅く」というこの施術の効果を示す文６５が表示されている。また、イラスト４５の下には、「指２本で鼻しん溝〜鼻筋まで引き上げるように。」というこの施術の動作を説明する文６６が表示されている。
【００３９】
また、第８の手順は、図９（ｂ）に示すように、顔輪筋の延びる方向に沿って刺激を与える施術で、その手先の動作が、イラスト４５内に、矢印６７で示されている。このイラスト４５の上には、「目尻  アップ・目  大きく」というこの施術の効果を示す文６８が表示されている。また、イラスト４５の下には、「指２本で目のまわりを。」というこの施術の動作を説明する文６９が表示されている。
【００４０】
そして、第９の手順は、図１０（ａ）に示すように、頭前筋の延びる方向に沿って刺激を与える施術で、その手先の動作が、イラスト４５内に、矢印７０で示されている。このイラスト４５の上には、「額・眉間  シワ浅く」というこの施術の効果を示す文７１が表示されている。また、イラスト４５内の下部に、「筋肉をモミほぐすような気持ちでしましょう」という説明文７２が表示され、さらに、その下には、「指３本で額下〜額上まで上下に揺らすように。」というこの施術の動作を説明する文７３が表示されている。
【００４１】
また、第１０の手順は、図１０（ｂ）に示すように、上唇挙筋、小頬骨筋、大頬骨筋の延びる方向に沿って刺激を与える施術で、その手先の動作が、イラスト４５内に、矢印７４で示されている。このイラスト４５の上には、「フェイスライン  スッキリ」というこの施術の効果を示す文７５が表示されている。また、イラスト４５の下には、「生えぎわを通った後、指３本で頬骨の下の外側を上下に揺らすように。上に引き上げるようにマッサージじ、頬骨〜あご骨まで移動。」というこの施術の動作を説明する文７６が表示されている。
【００４２】
そして、第１１の手順は、図１１（ａ）に示すように、頬筋の延びる方向に沿って刺激を与える施術で、その手先の動作が、イラスト４５内に、矢印７７で示されている。このイラスト４５の上には、「口角アップ」というこの施術の効果を示す文７８が表示されている。また、イラスト４５の下には、「そのまま口角まで移動し、最後に軽くプッシュ。」というこの施術の動作を説明する文７９が表示されている。
【００４３】
また、第１２の手順は、図１１（ｂ）に示すように、頬全体に刺激を与える施術で、その手先の動作が、イラスト４５内に、矢印８０および手のイラスト８１で示されている。このイラスト４５の上には、「ほほ  メリハリ・スッキリ」というこの施術の効果を示す文８２が表示されている。また、イラスト４５の下には、「１．手を握り頬骨の下の外側を上に引き上げるように。２．手を握ったまま、親指と４指で皮膚をこねるように。」というこの施術の動作を説明する文８３が表示されている。
【００４４】
そして、第１３の手順は、図１２（ａ）に示すように、あごのラインと頬に刺激を与える施術で、その手先の動作が、イラスト４５内に、矢印８４で示されている。このイラスト４５の上には、「フェイスライン  あご  スッキリ」というこの施術の効果を示す文８５が表示されている。また、イラスト４５の下には、「指２本で頬〜まごまでパッティング。」というこの施術の動作を説明する文８６が表示されている。
【００４５】
また、第１４の手順は、図１２（ｂ）に示すように、顔全体に刺激を与える施術で、その手先の動作が、イラスト４５内に、太矢印８７および手のイラスト８８で示されている。このイラスト４５の上には、「フェイス  スッキリ」というこの施術の効果を示す文８９が表示されている。また、イラスト４５の下には、「手のひら全体で顔の内側〜外側まで圧を加えながらし、最後にそのまま５秒間押さえる。」というこの施術の動作を説明する文９０が表示されている。
【００４６】
そして、第１５の手順は、図１３（ａ）に示すように、二腹筋の延びる方向に刺激を与える施術で、その手先の動作が、イラスト４５内に、矢印９１と手のイラスト９２で示されている。このイラスト４５の上には、「フェイス  スッキリ」というこの施術の効果を示す文９３が表示されている。また、イラスト４５の下には、「親指と人差し指であご先〜耳下腺まで圧を加えながらし、最後に、そのまま５秒間押さえる。」というこの施術の動作を説明する文９４が表示されている。
【００４７】
また、第１６の手順は、図１３（ｂ）に示すように、首の広頸筋、胸鎖乳突筋の延びる方向に刺激を与える施術で、その手先の動作が、イラスト４５内に、矢印９５で示されている。このイラスト４５の上には、「首のハリ  アップ」というこの施術の効果を示す文９６が表示されている。また、イラスト４５の下には、「１．指先で首の横を上〜下に軽くマッサージ。２．同様に首の前側まで。（首は状況にあわせて行いましょう）」というこの施術の動作を説明する文９７が表示されている。
【００４８】
さらに、第１７の手順は、図１４に示すように、頬に刺激を与える施術で、その手先の動作が、イラスト４５内に、矢印９８で示されている。このイラスト４５の上には、「フェイス  スッキリ」というこの施術の効果を示す文９９が表示されている。また、イラスト４５の下には、「お客様と向かい合うような位置に立つ。指３本で耳の前のくぼみ部分を手前に引くように。」というこの施術の動作を説明する文１００が表示されている。
【００４９】
なお、上記各手順のイラスト４５の左上には、手順を示す番号１０１が付されているが（図６〜図１４参照）、番号のうち、「１２」、「１３」、「１７」には「店頭ケア専用）の文字１０２が付されている（図１１、図１２、図１４参照）。
【００５０】
このように構成されたシート１の表示にもとづき、エステティック施術者等は、顧客に対し、一連の美容施術を行うことができる。この美容施術によれば、顔の筋肉に対し、その筋肉の筋が延びる方向に刺激を与えるため、加齢とともに萎縮しつつある筋肉に、本来の動きをよみがえらせることができ、その部分にハリが生じて引き締まった表情をつくることができる。しかも、施術の際に、メラニン代謝促進作用を備えたマッサージクリームを用いるため、筋肉への物理的な刺激と、皮膚内側からのメラニン代謝作用との相乗効果により、筋肉の回復効果を、長く持続させることができる。
【００５１】
なお、施術に先立ち、顧客の要望を聞いたり顧客の肌の状態をカウンセリングしたりすることができる。また、必要に応じて、各施術の繰り返し回数を増減したり、１〜１７の手順の順番や内容を変更したりすることができる。もちろん、手順を減らすこともできる。ただし、本発明の美容施術方法では、必ず、顔の筋肉に対し、その筋肉の筋が延びる方向に刺激を与える施術を含んでいなければならない。
【００５２】
そして、対象とする顔の筋肉は、前頭筋、眼輪筋、鼻根筋、上唇鼻翼挙筋、上唇挙筋、小頬骨筋、大頬骨筋、頬筋、皺眉筋、咬筋、口輪筋および口角下制筋の中から、適宜選択することができる。顔全体にハリを与え、たるみを解消するには、できるだけ顔全般の筋肉に、順次刺激を与えることが望ましい。また、上記の例のように、首の筋肉である広頸筋、二腹筋、胸鎖乳突筋等に対する施術を組み合わせると、あごから首にかけてのたるみを改善させることができ、好適である。
【００５３】
さらに、施術の際には、上記の例のように、メラニン代謝促進機能を備えたマッサージクリームを用いることが必要である。上記マッサージクリームを皮膚に浸透させながら筋肉に対する施術を行うことにより、すでに述べたように、筋肉への物理的な刺激と、皮膚内側からのメラニン代謝作用との相乗効果によって、筋肉の回復効果を、長く持続させることができるからである。
【００５４】
上記メラニン代謝促進機能を備えたマッサージクリームとしては、例えば、メラノＥＧおよびイーストエキスを含有するものが好適である。上記メラノＥＧは、ビタミンと糖からなる複合成分で、肌内部に溜まったメラニンの体外排出を促進する機能を備えている。また、上記イーストエキスは、核酸、アミノ酸、ビタミン、ミネラル類を多く含む酵母（活性酵母）から得られる抽出物で、皮膚の新陳代謝を活発にして健康な肌を保つ機能を備えている。具体的な製品としては、チトカタライザー（岩瀬コスファー社製）等があげられる。
【００５５】
また、本発明で用いるマッサージクリームとしては、上記メラノＥＧ、イーストエキス等のメラニン代謝促進機能成分に加えて、水溶性ビタミンＣ、小麦胚芽エキス、ミネラル酵母エキス、亜麻仁エキス、Ｎ−メチル−Ｌ−セリンおよびボタニカルエッセンス等を配合したものが好適である。これらは、単独で配合しても、２種以上を組み合わせて配合してもよい。
【００５６】
上記水溶性ビタミンＣは、従来のビタミンＣの働きを高め、効果の安定性に優れたもので、細胞膜との親和性に優れ、スムーズに表皮細胞に取り込まれてメラニンに働きかける作用を有する。また、上記小麦胚芽エキスは、メラノサイト中で「透明メラニン」を作らせる機能を備えているとともに、小麦を発芽させるための栄養素（脂質、タンパク質、ミネラル、ビタミン等）を豊富に含んでいるという特長を有する。さらに、上記ミネラル酵母エキスは、ミネラル分を豊富に含む酵母抽出液で、メラノサイトを刺激から守る「メタロチオネイン」の生成を促進し、シミになりにくい肌をつくる機能を有する。
【００５７】
また、上記亜麻仁エキスは、亜麻の種子から得られるエキスで、高い抗酸化能を有し、紫外線の炎症から肌を守る機能を有している。そして、上記Ｎ−メチル−Ｌ−セリンは、保湿成分で、真皮で繊維芽細胞に働きかけてヒアルロン酸を作り出し、肌の中からうるおいを育む効果と、角質層で活性化（働きを高めた）ＮＭＦとして最適なうるおいを保つ効果とを備えている。具体的な製品としては、アクアセリン１２０（カネボウ社製）等があげられる。さらに、上記ボタニカルエッセンスは、甘草、茶の実、椿の実、地黄、人参、オリーブの葉エキス、オトギリソウ等の植物由来の複合成分で、細胞の酸化、炎症、ＤＮＡダメージを防ぎ、細胞自体を積極的にいたわる機能を有する。
【００５８】
なお、本発明の美容施術方法において、顧客に対し、基本的には上記美容施術と同様の構成で、部分的に簡素化した方法を指導して、家庭で繰り返し行わせることにより、より効果を持続させるようにすることができる。
【００５９】
その場合、例えば、上記の例で用いた美容施術シート１の裏面１ｂ（図２参照）に示す１〜１７の施術の手順のうち、「店頭ケア専用」の文字１０２が付記されていない番号１０１の施術（１〜１１、１４〜１６の施術）を、家庭において、例えば週に１〜２回、夜のお手入れで行うよう指導することができる。
【００６０】
あるいは、店頭で施術者が用いる美容施術シート１等とは別に、顧客が自宅で行える美容施術方法を表示した印刷物（例えばリーフレット等）を作製しておき、これを顧客に手渡すようにしても差し支えない。
【００６１】
上記印刷物の一例を図１５に示す。このものは、１枚の横長シートを３つ折りにしたリーフレットで、その表紙となる面１１０に、「トワニー  顔輪筋マッサージ」という見出し１１１が表示されている。そして、この面１１０を左側に開き、反対側の面を右側に開くことにより、１枚に広げられたシート面（折り目で区切られた３つの面１１２〜１１４からなる）に、顧客が自宅で行うのに適したマッサージの手順が、順を追って表示されている（図１６〜図１８参照）。
【００６２】
このシート面の中央（面１１３）には、「トワニー  顔輪筋マッサージ」という見出し１１５が表示されており、その下に、「お顔の筋肉を適度に刺激することで、いきいきとした表情、シャープな顔立ちをつくります。」という説明文１１６が表示されている。そして、その下には、面１１３と面１１４にまたがって、「●相乗効果でさらに美しく。トワニーのマッサージクリーム」の文１１７が表示されており、その下に、２種類のマッサージクリームの商品写真１１８、１１９と説明文１２０、１２１とが表示されている。
【００６３】
そして、このシート面の左上（面１１２）には、「約２分間のマッサージ」という小見出し１２２が表示されており、その下に、「お手入れのポイント  ●週１〜２回、夜のお手入れで  ●やや強めのタッチで  ※体調がすぐれない時やお肌が敏感な時はマッサージをおひかえください。」という注意書き１２３が表示されている。
【００６４】
そして、その下に、上下２段にわたって、１〜１１の施術の手順が、女性の顔を示すイラスト１３０とともに表示されている。各手順を、順を追って説明する。
【００６５】
まず、第１の手順は、面１１２の左中央に示すように、額と頬に刺激を与える施術で、その手先の動作が、イラスト１３０に、太矢印１３１で示されている。そして、このイラスト１３１の下には、「１マッサージクリームをのばした後、指２本で目のまわりをクルクルと数回マッサージ。２指３本で額を引き上げるようにします。３ほほ全体を手のひらで引き上げます。」というこの施術の動作を説明する文１３２が表示されている。
【００６６】
また、第２の手順は、その右側に示すように、口角下制筋、大頬骨筋の延びる方向に刺激を与える施術で、その手先の動作が、イラスト１３０に、矢印１３３で示されている。そして、このイラスト１３０の下には、「指２本で鼻しん溝〜こめかみまで引き上げるようにします。」というこの施術の動作を説明する文１３４が表示されている。
【００６７】
つぎに、第３の手順は、その右側（図１７に移る）に示すように、口角下制筋、小頬骨筋の延びる方向に刺激を与える施術で、その手先の動作が、イラスト１３０に、矢印１３５で示されている。そして、このイラスト１３０の下には、「指２本で鼻しん溝〜目尻まで引き上げるようにします。」というこの施術の動作を説明する文１３６が表示されている。
【００６８】
つぎに、第４の手順は、その右側に示すように、口角下制筋、上唇挙筋の延びる方向に刺激を与える施術で、その手先の動作が、イラスト１３０に、矢印１３７で示されている。そして、このイラスト１３０の下には、「指２本で鼻しん溝〜黒目まで引き上げるようにします。」というこの施術の動作を説明する文１３８が表示されている。
【００６９】
つぎに、第５の手順は、その右側（図１８に移る）に示すように、口角下制筋、上唇鼻翼挙筋の延びる方向に刺激を与える施術で、その手先の動作が、イラスト１３０に、矢印１３９で示されている。そして、このイラスト１３０の下には、「指２本で鼻しん溝〜鼻筋まで引き上げるようにします。」というこの施術の動作を説明する文１４０が表示されている。
【００７０】
つぎに、第６の手順は、その右側に示すように、眼輪筋の延びる方向に沿って刺激を与える施術で、その手先の動作が、イラスト１３０に、矢印１４１で示されている。そして、このイラスト１３０の下には、「指２本で目のまわりをします。」というこの施術の動作を説明する文１４２が表示されている。
【００７１】
つぎに、第７の手順は、第２の手順の下（図１６に戻る）に示すように、前頭筋の延びる方向に刺激を与える施術で、その手先の動作が、イラスト１３０に、矢印１４３で示されている。そして、このイラスト１３０の下には、「指３本で額下〜額上まで上下に揺らすようにします。筋肉をもみほぐす感じで。」というこの施術の動作を説明する文１４４が表示されている。
【００７２】
つぎに、第８の手順は、その右側（図１７に移る）に示すように、頬の下側に刺激を与える施術で、その手先の動作が、イラスト１３０に、矢印１４５で示されている。そして、このイラスト１３０の下には、「生え際を通った後、指３本でほほ骨の下側の外側を上下に揺らすようにします。上に引き上げるようにマッサージし、ほほ骨からアゴ骨まで移動します。」というこの施術の動作を説明する文１４６が表示されている。
【００７３】
つぎに、第９の手順は、その右側に示すように、大頬骨筋の延びる方向に刺激を与える施術で、その手先の動作が、イラスト１３０に、矢印１４７で示されている。そして、このイラスト１３０の下には、「そのまま口角の横まで移動し、最後に軽くプッシュ。」というこの施術の動作を説明する文１４８が表示されている。
【００７４】
つぎに、第１０の手順は、その右側（図１８に移る）に示すように、頬からこめかみにかけて刺激を与える施術で、その手先の動作が、イラスト１３０に、太矢印１４９で示されている。そして、このイラスト１３０の下には、「手のひら全体でお顔の内側〜外側まで圧を加えながらします。やや上に持ち上げる感じで外側まで移動させ、最後にそのまま５秒間押さえます。」というこの施術の動作を説明する文１５０が表示されている。
【００７５】
つぎに、第１１の手順は、その右側に示すように、広頸筋、胸鎖乳突筋の延びる方向に刺激を与える施術で、その手先の動作が、イラスト１３０に、矢印１５１で示されている。そして、このイラスト１３０の下には、「１指２本で耳下腺〜鎖骨まで軽くマッサージ。２同様に耳下腺〜鎖骨の内側までします。」というこの施術の動作を説明する文１５２が表示されている。
【００７６】
一方、このリーフレットの裏面であって、面１１４の裏側にあたる面１１４ａは、図１９に示すような構成になっている。すなわち、上部に、「お顔の筋肉に働きかける新発想のマッサージ。続けることでいきいきとした表情と、ハリのある素肌へ導きます。」というこのマッサージの特長を示す文１５３が表示されており、その下に、「約３０種類もある顔の筋肉は、身体の筋肉同様に使わないと衰えてしまいます。また、加齢とともに筋萎縮が起きて、動きも鈍りがち。たるみや表情疲れの原因に。」という説明文１５４が表示されている。
【００７７】
このように、上記リーフレットを組み合わせることにより、顧客は、店頭において、本発明の美容施術を受けるだけでなく、自宅等において、自分で、上記美容施術をやや簡単にした施術を、自分のペースで行うことができるため、本発明の美容施術の効果を、より長く持続することができる。
【００７８】
なお、上記の例では、美容施術ツールを一枚の剛性シートで構成したが、必ずしもシートの形態をとる必要はなく、カードにまとめたものや、冊子状に綴じたものであっても差し支えない。また、印刷物に限らず、ＴＶモニターや、ＣＲＴ、液晶モニター等の画像装置、コンピュータ等を利用して表示される画面も、本発明の美容施術ツールに含まれるものとする。
【００７９】
また、顧客が自宅で行えるよう、顧客に提供される美容施術情報も、リーフレット等の印刷物に限らず、インターネット等を介して、顧客に直接配信する画像情報（音声情報を含む）であっても差し支えない。
【図面の簡単な説明】
【００８０】
【図１】本発明の一実施例である美容施術ツールの表面を示す説明図である。
【図２】上記実施例の裏面を示す説明図である。
【図３】上記実施例の部分的な説明図である。
【図４】上記実施例の部分的な説明図である。
【図５】上記実施例の部分的な説明図である。
【図６】（ａ）、（ｂ）は、ともに上記実施例の部分的な説明図である。
【図７】（ａ）、（ｂ）は、ともに上記実施例の部分的な説明図である。
【図８】（ａ）、（ｂ）は、ともに上記実施例の部分的な説明図である。
【図９】（ａ）、（ｂ）は、ともに上記実施例の部分的な説明図である。
【図１０】（ａ）、（ｂ）は、ともに上記実施例の部分的な説明図である。
【図１１】（ａ）、（ｂ）は、ともに上記実施例の部分的な説明図である。
【図１２】（ａ）、（ｂ）は、ともに上記実施例の部分的な説明図である。
【図１３】（ａ）、（ｂ）は、ともに上記実施例の部分的な説明図である。
【図１４】上記実施例の部分的な説明図である。
【図１５】上記実施例と組み合わせることのできるリーフレットの説明図である。
【図１６】上記リーフレットの部分的な説明図である。
【図１７】上記リーフレットの部分的な説明図である。
【図１８】上記リーフレットの部分的な説明図である。
【図１９】上記リーフレットの部分的な説明図である。
【符号の説明】
【００８１】
７  イラスト
８  筋肉
【図１】
2005314329.tif 000003
【図２】
2005314329.tif 000004
【図３】
2005314329.tif 000005
【図４】
2005314329.tif 000006
【図５】
2005314329.tif 000007
【図６】
2005314329.tif 000008
【図７】
2005314329.tif 000009
【図８】
2005314329.tif 000010
【図９】
2005314329.tif 000011
【図１０】
2005314329.tif 000012
【図１１】
2005314329.tif 000013
【図１２】
2005314329.tif 000014
【図１３】
2005314329.tif 000015
【図１４】
2005314329.tif 000016
【図１５】
2005314329.tif 000017
【図１６】
2005314329.tif 000018
【図１７】
2005314329.tif 000019
【図１８】
2005314329.tif 000020
【図１９】
2005314329.tif 000021